(57)【要約】【課題】妊婦が胎児の日常の状態に関する種々の情報を家庭内で気軽に且つ確実に知り得るための胎動検知装置・胎動検知システムを提供する。【解決手段】胎動検知装置１００は、シート体１、複数のセンサーＳｉ及びコントローラ６を有する。湾曲自在な平面状に延在したシート体１は、互いに固設された第１及び第２シート層（布等より成る。）より成り、その裏面１Ｒは妊婦の母体４の腹部５に当接される。各センサーＳｉは、母体４の子宮内の胎児の胎動を検知する本体部ＳＰ及び本体部ＳＰの出力端ＳＴに接続された出力線ＯＬｉを有する。各センサーＳｉの本体部ＳＰの全体及び出力線ＯＬｉの内の出力端ＳＴ側の部分の全体は、共にシート体１によって被覆されている。複数のセンサーＳｉは、同一種類のセンサーより又は異種類のセンサーより成る。胎動検知システム２００は、上記装置１００及びクラウドサーバー７を有する。【選択図】図１
2020089400.tif 000002
【特許請求の範囲】
【請求項１】
妊婦の母体の腹部に当接される裏面を有し、湾曲自在な平面状に延在したシート体と、
前記母体の子宮内の胎児の胎動を検知する本体部及び前記本体部の出力端に接続された出力線を有する、複数のセンサーと
を備えており、
前記複数のセンサーの各々の前記本体部の全体及び前記出力線の内の前記出力端側の部分の全体が共に前記シート体によって被覆されている
ことを特徴とする胎動検知装置。
【請求項２】
請求項１に記載の胎動検知装置であって、
前記シート体は、
（１）前記シート体の前記裏面に該当する裏面及び当該裏面に対向する表面を有し、湾曲自在な平面状に延在した第１シート層と、
（２）前記第１シート層の前記表面上に固設された裏面を有し、湾曲自在な平面状に延在した第２シート層と
を備えており、
前記複数のセンサーの各々の前記本体部の全体及び前記出力線の前記出力端側の前記部分の全体は、前記第１シート層の前記表面と前記第２シート層の前記裏面とによって被覆されている
ことを特徴とする胎動検知装置。
【請求項３】
請求項１に記載の胎動検知装置であって、
前記シート体は、湾曲自在な平面状に延在したシート層としての、一つの合成樹脂層より成り、
前記複数のセンサーの各々の前記本体部の全体及び前記出力線の前記出力端側の前記部分の全体は、前記一つの合成樹脂層によって被覆されている
ことを特徴とする胎動検知装置。
【請求項４】
請求項１乃至３の何れか１項に記載の胎動検知装置であって、
前記複数のセンサーは、少なくとも、第１センサーと、前記第１センサーとは異なるセンサー機能を呈する第２センサーとを有する
ことを特徴とする胎動検知装置。
【請求項５】
請求項１乃至４の何れか１項に記載の前記胎動検知装置を備える胎動検知システムであって、
請求項１乃至４の何れか１項に記載の前記胎動検知装置は、
前記複数のセンサーの各々の前記出力線に接続されているコントローラを
更に備えており、
前記胎動検知システムは、
前記コントローラより出力される信号をインターネット経由で受信した上で、前記コントローラの前記出力信号に基づいて前記胎児の前記胎動に関するデータを算出・保有し、前記インターネット経由でアクセスしてくる端末機器に前記胎動に関するデータを前記インターネット経由で送信するクラウドサーバー
を更に備えることを特徴とする胎動検知システム。
【発明の詳細な説明】
【技術分野】
【０００１】
本発明は、妊婦の母体の子宮内の胎児の胎動を家庭内で検知する胎動検知装置、及び、当該胎動検知装置を有する胎動検知システムに関する。
【背景技術】
【０００２】
妊婦の母体内の胎児の胎動・心音を検知して当該胎児の胎動・心音の情報を得る装置として、種々のものが提案されている（例えば、特許文献１乃至８を参照）。
【先行技術文献】
【特許文献】
【０００３】
【特許文献１】特表２０１６−５３１６４２号公報
【特許文献２】再表２０１４−００２８２３号公報
【特許文献３】特開２０１３−１６９４０３号公報
【特許文献４】特開２０１２−２５２３５８号公報
【特許文献５】特開２０１２−１５２４０７号公報
【特許文献６】特表２０１１−５１６２３８号公報
【特許文献７】特開２００３−１１１７６０号公報
【特許文献８】特開２００１−２７６０７９号公報
【発明の概要】
【発明が解決しようとする課題】
【０００４】
先行技術に於いては、妊婦は、自宅内等で、母体内の胎児の胎動・心音に関する情報を検出して当該情報を確認し、更には当該情報を医師に送信することが可能となる。
しかしながら、取得された胎児の胎動等に関する情報を様々な観点から妊婦が複合的に活用することが要望される。
【０００５】
この発明はその様な要望ないしは問題点に鑑みて成されたものであり、その主目的は、妊婦の母体内の胎児の胎動を検知可能なセンサーを複合的に活用することで胎児の胎動に関する種々のデータを妊婦が家庭内で容易に且つ確実に取得可能な胎動検知装置を提供する点にある。
【課題を解決するための手段】
【０００６】
本発明の主題に係る胎動検知装置は、妊婦の母体の腹部に当接される裏面を有し、湾曲自在な平面状に延在したシート体と、前記母体の子宮内の胎児の胎動を検知する本体部及び前記本体部の出力端に接続された出力線を有する、複数のセンサーとを備えており、前記複数のセンサーの各々の前記本体部の全体及び前記出力線の内の前記出力端側の部分の全体が共に前記シート体によって被覆されていることを特徴とする。
【発明の効果】
【０００７】
本発明の主題に係る胎動検知装置によれば、妊婦は母体内の胎児の日常の胎動に関する種々のデータを自宅内ないしは家庭内で気軽に且つ確実に取得することが出来る。
以下、本発明の様々な具体化を、添付図面を基に、その効果・利点と共に、詳述する。
【図面の簡単な説明】
【０００８】
【図１】本発明の実施の形態１に係る胎動検知装置を用いた胎動検知システムの構成を模式的に示す図である。
【図２】実施の形態１に係る胎動検知装置に於けるセンサーの被覆状態を模式的に示す縦端面図である。
【図３】本発明の胎動検知システムによって得られる胎児の胎動の各種情報を模式的に示す図である。
【図４】本発明の胎動検知システムによって得られる胎児の胎動の情報及びマイクにより取得される胎児の心音の情報を模式的に示す図である。
【図５】本発明の実施の形態２に係る胎動検知装置を用いた胎動検知システムの構成を模式的に示す図である。
【図６】実施の形態２に係る胎動検知装置に於けるセンサーの被覆状態を模式的に示す縦端面図である。
【図７】実施の形態１又は２に係る胎動検知装置の変形例の構成を模式的に示す正面図である。
【発明を実施するための形態】
【０００９】
（実施の形態１）
＜胎動検知システム・胎動検知装置の構成＞
【００１０】
図１は、本実施の形態に係る胎動検知システム２００の構成を模式的に示す図である。図１に於いて、胎動検知システム２００は、その主要な構成部として、胎動検知装置１００を有する。この胎動検知装置１００は、妊婦の母体の子宮内の胎児（図示せず。）の胎動を、即ち、胎児の手、足又は頭の各部分の子宮内での物理的な動きの状態を、複数のセンサーで以って、当該妊婦が家庭内で容易に且つ確実に検知することを可能にする装置である。そのため、胎動検知装置１００は、大要、（１）シート体１と、（２）シート体１の出力端１Ｔに電気的に接続された出力線の束より成る出力線部ＯＬと、（３）出力線部ＯＬの各出力線に電気的に接続された入力端（図示せず。）を有する、制御機器としてのコントローラ６とより成る。又、胎動検知システム２００は、インターネットＮとの通信を介して胎動検知装置１００乃至はコントローラ６と電気的に接続されるクラウドサーバー７、及び、インターネットＮを介してクラウドサーバー７との間で相互通信を行う端末機器１１（例えば、スマートフォン８、タブレット端末９又はパーソナルコンピュータ（ＰＣ）１０）を有する。以下では、胎動検知装置１００の詳細な構成について記載する。
【００１１】
シート体１は、全体的に可撓性を有して妊婦の母体４の腹部５に沿って湾曲自在に腹部５に配設可能な、平面状に延在して成るシートであり、図１の例に於いては、腹部５を被覆可能な所定の寸法を有する略直方体の形状を有する。従って、図１に例示される様に、シート体１の裏面１Ｒは、母体４の腹部５に全面的に当接される。図１に示されるシート体１の裏面１Ｒの、腹部５の皮膚表面への当接状態は、例えば、シート体１の裏面１Ｒに予め配設された吸着シート若しくは吸着盤（図示せず。）により実現されていても良いし、又は、妊婦がシート体１を自らの手で若しくは第三者（例えば、夫。）の手でずれ落ちない様に持つことで実現されても良い。何れにしても、シート体１は、その裏面１Ｒが全面的に妊婦の母体４の腹部５に当接された状態で用いられるものである。
【００１２】
そして、本実施の形態では、図１に示される通り、シート体１は、長手方向に延在する第１シート層２と、第１シート層２上に全面的に積層配置された第２シート層３とより成る「２層シート」として構成される。即ち、第１シート層２は、シート体１の裏面１Ｒに該当する裏面２Ｒ及び裏面２Ｒに対向する表面２Ｓを有しており、平面状に長手方向に延在した湾曲自在なシートである。それに対して、第２シート層３は、第１シート層２の表面２Ｓ上に略全面的に結合ないしは固設された裏面３Ｒを有しており、第１シート層２と同様に、平面状に長手方向に延在した湾曲自在な積層されたシートである。ここでは、第１シート層２及び第２シート層３は、布状の物若しくはメッシュ状の物又は紙より成る。例えば、第１シート層２及び第２シート層３として、市販品の電磁波遮蔽機能を有する布状の物を用いる場合には、シート体１は妊婦に対する電磁波の伝搬を防ぐ機能を呈する。
【００１３】
更に、本実施の形態では、胎動検知装置１００の重要な構成要素として、複数のセンサーＳｉ（ｉ：１，２，３，４，５）が、シート体１の内部に、縦横に配設されている。図１の例では、５個のセンサーが同一面上に縦横に配設されており、図示の便宜上、各センサーＳｉ（ｉ：１，２，３，４，５）は、破線で以って模式的に示されている。ここで、「複数のセンサーＳｉ」という概念は、センサーの数が少なくとも２個であることを要し、任意の数のセンサーであることを意味している。この複数のセンサーＳｉ（ｉ：１，２，３，４，５）の各々は、１）母体４の子宮内の胎児の胎動を検知する本体部ＳＰ、及び、２）本体部ＳＰの出力端ＳＴに接続された出力線ＯＬｉ（ｉ：１，２，３，４，５）を有する。その内、各センサーＳｉ（ｉ：１，２，３，４，５）の本体部ＳＰは、シート体１が母体４の腹部５に当接する際のシート体１の湾曲の度合いに応じて自在に湾曲し得る、フレキシブルな基板（図示せず。）を有しており、この基板上に検知部（図示せず。）が形成されている。他方、各センサーＳｉ（ｉ：１，２，３，４，５）の出力線ＯＬｉ（ｉ：１，２，３，４，５）は、図１に例示される様に、シート体１の内部に於いて、シート体１の短手方向の一方の端面に配設されている出力端１Ｔに集束される様に配線されており、更に、出力端１Ｔより既述の出力線部ＯＬの一出力線として外部のコントローラ６へ向けて配線されている。
【００１４】
各センサーＳｉ（ｉ：１，２，３，４，５）としては、例えば、圧力センサーが用いられる。或いは、加速度センサーが、各センサーＳｉ（ｉ：１，２，３，４，５）として用いられる。或いは、ドップラーセンサーが、各センサーＳｉ（ｉ：１，２，３，４，５）として用いられる。
【００１５】
又は、上記の様に、一種類（同一構成・同一機能）のセンサーのみが各センサーＳｉ（ｉ：１，２，３，４，５）として用いられるのではなくて、構成・機能が互いに異なる複数種類のセンサーが、各センサーＳｉ（ｉ：１，２，３，４，５）として用いられても良い。この場合には、胎児の胎動に関する種々の情報が異種のセンサーにより得られ、後述の通り、それらの情報ないしはデータを複合的に活用することが可能となる。例えば、複数個の圧力センサー（「第１センサー」に該当。）及び複数個の加速度センサー（「第２センサー」に該当。）が、複数のセンサーＳｉ（ｉ：１，２，３，４，５）として用いられても良い。或いは、複数個の圧力センサー（「第１センサー」に該当。）及び複数個のドップラーセンサー（「第２センサー」に該当。）が、若しくは、複数個の加速度センサー（「第１センサー」に該当。）及び複数個のドップラーセンサー（「第２センサー」に該当。）が、それぞれ、複数のセンサーＳｉ（ｉ：１，２，３，４，５）を構成するものとしても良い。又は、複数個の圧力センサー（「第１センサー」に該当。）、複数個の加速度センサー（「第２センサー」に該当。）及び複数個のドップラーセンサー（「第３センサー」に該当。）が、複数のセンサーＳｉ（ｉ：１，２，３，４，５）を構成するものとしても良い。
【００１６】
ここで特筆すべき特徴点は、複数のセンサーＳｉ（ｉ：１，２，３，４，５）の各々の、本体部ＳＰの全体及び出力線ＯＬｉ（ｉ：１，２，３，４，５）の内の出力端ＳＴ側の部分（図１で一点鎖線で表示される部分）ＯＬｉＣの全体が、共に、シート体１によって被覆されている点である。本実施の形態に則して言えば、各センサーＳｉ（ｉ：１，２，３，４，５）の本体部ＳＰの全体及び出力線ＯＬｉ（ｉ：１，２，３，４，５）の内の出力端ＳＴ側の部分（図１で一点鎖線で表示される部分）ＯＬｉＣの全体が、共に、第１シート層２の表面２Ｓと第２シート層３の裏面３Ｒとによって包み込まれる様に被覆されている。この特徴点を図１の断線ＩＡ−ＩＢ及びＩＩＡ−ＩＩＢに関して模式的に示す縦端面図が、図２（ａ）及び図２（ｂ）である。その内、図２（ａ）は、センサーＳｉがその他の種類のセンサーと比較してその重さが相対的に軽い「圧力センサー」である場合に於ける、センサーＳｉの被覆状態を示す縦端面図である。この場合には、第１シート層２の表面２Ｓの内でセンサーＳｉの下面と当接する部分及び当該表面２Ｓの当接部分に対向する裏面２Ｒの部分は、共に平坦な面を成しており、第１シート層２は凹部状に窪んではいない。これに対して、図２（ｂ）は、センサーＳｉが、その重みが「圧力センサー」よりも相対的に重い「加速度センサー」又は「ドップラーセンサー」である場合の、センサーＳｉの被覆状態を示す縦端面図である。この場合には、第１シート層２の内でセンサーＳｉと当接する部分及びその周辺部分は、凹部状に窪んでおり、第１シート層２の裏面２Ｒの内でセンサーＳｉと対向する平坦な面部分が母体４の腹部５と当接する。
【００１７】
この様な特徴点の構成により、複数のセンサーＳｉ（ｉ：１，２，３，４，５）の各々の、本体部ＳＰの全体及び出力線ＯＬｉ（ｉ：１，２，３，４，５）の内の出力端ＳＴ側の部分（図１で一点鎖線で表示される部分）ＯＬｉＣの全体が、シート体１によって、外界に対して保護されている。そのため、妊婦乃至はその他の者又は外界の物が各センサーＳｉ（ｉ：１，２，３，４，５）の本体部ＳＰ等に直接に触れることは阻止され、その結果、各センサーＳｉの短絡等の電気的障害又は機械的障害の発生は防止される。しかも、妊婦は、直接に各センサーＳｉ（ｉ：１，２，３，４，５）を手で持ちながら自己の腹部５の表面に当該センサーＳｉを個別に当てて胎児の胎動を多面的に測定・検出する作業を強いられることは、無い。妊婦は、胎児の胎動の検出の際に、ただシート体１を自己の腹部５に当接させておくだけである。
【００１８】
＜胎動検知システムの動作・利点＞
図１に於いて、妊婦がシート体１の裏面１Ｒを腹部５の湾曲形状に沿って全面的に腹部５に当接した状態に於いて、シート体１に電気的に接続されたコントローラ（制御機器）６を「オフ」状態から「オン」状態へと設定した場合に於ける胎動検知システム２００の動作は、次の通りとなる。即ち、コントローラ６は、シート体１の内部に配設された各センサーＳｉが時々刻々と変動する胎児の胎動状態に応じて検出する信号を、対応する各出力線ＯＬｉを介して、受信する。そして、コントローラ６は、時々刻々と送信されて来る上記各センサーＳｉの出力信号を、インターネットＮを介した通信（例えばＷｉＦｉ（登録商標）による通信。）を通じて、クラウドサーバー７へと送信する。そして、クラウドサーバー７は、上記各センサーＳｉの出力信号を受信して、クラウドサーバー７が保有するアプリケーションソフトウェアのプログラムに基づき上記出力信号が与える情報を処理する。斯かる情報処理を通じて、クラウドサーバー７は、胎児の胎動の各種情報（各種データ）を算出・取得し（各センサーＳｉのデータの利活用）、それらのデータをデーターベース（図示せず。）内に保有する。例えば、クラウドサーバー７は、コントローラ６よりデータを取得した時点で胎児が子宮内の何処の位置にいるのか、或いは、胎児の足は子宮内で何れの方向へ向いているのか等の情報を算出し取得する。その上で、クラウドサーバー７は、妊婦、夫又は親族（以下、「妊婦等」という。）により操作される端末機器１１（例えば、ＰＣ１０，スマートフォン８，タブレット端末９。）がインターネットＮ経由でクラウドサーバー７に対してアクセスしてくる場合には、算出・保有済みの各種の胎児の胎動に関するデータをインターネットＮ経由で端末機器１１のディスプレイ（図示せず。）上に表示する。これにより、妊婦等は、端末機器１１の上記ディスプレイ上に表示される各種の胎児の胎動に関するデータを視認し、或いは、当該データを端末機器１１内の記憶媒体に保有することが出来、以って、時々刻々と変わる自己の胎児の母体４内での状態ないしは状況を自宅内ないしは家庭内に於いて何時でも気軽に且つ確実に把握し、知ることが出来る。
【００１９】
その様なクラウドサーバー７によって妊婦等に対して提供される各種の胎児の胎動に関するデータを模式的に例示する図が、図３（ａ），図３（ｂ），図３（ｃ），図３（ｄ）及び図４（ａ）である。
【００２０】
例えば、図３（ａ）に示される様に、クラウドサーバー７は、各センサーＳｉの検知信号の取得・算出結果及び端末機器１１からの指示に応じて、時間の経過に応じた胎児の胎動の強さの変動を曲線Ｃ１として、妊婦等に示す。或いは、クラウドサーバー７は、加圧センサーＳｉからの検知信号に基づき、胎児の子宮内での「しゃっくり」の動作を、正弦波的な曲線Ｃ２として示す。尚、後者の場合には、胎児の「頭」の部分の運動として、上記「しゃっくり」の動作が加圧センサーＳｉにより検知されるものと、推考される。
【００２１】
或いは、図３（ｂ）に示される様に、クラウドサーバー７は、各センサーＳｉの検知信号の取得・算出結果及び端末機器１１からの指示に応じて、月・日の経過に応じた、各日又は毎日に於ける胎児の胎動の回数を、棒グラフのデータとして、妊婦等に表示する。
【００２２】
或いは、図３（ｃ）に示される様に、クラウドサーバー７は、各センサーＳｉの検知信号の取得・算出結果及び端末機器１１からの指示に応じて、判定結果をより視覚的に理解し易くするために、特定の月日に於ける胎児の足（キック）、手及び頭の各部分の運動の強さ（回数）を、円グラフと共に、棒グラフのデータとして、妊婦等に表示する。
【００２３】
或いは、クラウドサーバー７は、日々蓄積される胎動データより算出される平均値との比較に於いて、図３（ｄ）に示される様な、特定の月日に於ける胎児の足、手及び頭の各部分の運動の強さを「普通」、「強い」又は「弱い」として評価した判定結果を、表示する。
【００２４】
又は、図１の各センサーＳｉとして同一種類のセンサー（例えば加圧センサー。）が配設されている場合には、図４（ａ）に例示される様に、クラウドサーバー７は、特定の月日又は時間帯に於ける妊婦の腹部の各位置に於ける胎児の胎動の強弱の判定結果を、「強」，
「中」，「弱」の分布図として、妊婦等に表示する。
【００２５】
又、クラウドサーバー７が多くの妊婦の胎児の胎動の種々のデータを取得・算出・保有することとなると、胎動検知システム２００は次の様な利点をも発揮することとなる。即ち、各妊婦は、自分の胎児の胎動に関する種々の情報を、他人の胎児の胎動のデータとの比較に於いて、相対的に判断することが可能となる。
【００２６】
例えば、胎動検知システム２００の作動を通じて、各妊婦は、自分の日常時の食物の摂取による胎児の状態への影響の度合いを、スマートフォン９等の端末機器１１によって視覚的に知り、且つ、その情報を端末機器１１内に記憶させておくことが出来る。例えば、妊婦による米、小麦又は卵等の特定の食物の摂取に応じて、胎児の胎動の状態のデータより胎児の食物アレルギーの反応が疑われる場合には、妊婦は、それ以降の当該食物の過度の摂取を抑えることで胎児の当該食物アレルギーの発生を出産前に未然に抑制することが出来る。
【００２７】
以上の通り、胎動検知装置１００及び同装置１００を用いた胎動検知システム２００は、妊婦の母体４内の胎児の胎動を検知可能なセンサーＳｉの機能を複合的に活用しており、以って、妊婦が平面状のシート体１を単に自己の腹部５に配置する又は巻くだけで胎児の胎動に関する種々のデータを多面的に家庭内で気軽且つ容易に及び確実に取得することを可能とする。
【００２８】
（実施の形態２）
図５は、本実施の形態に係る胎動検知装置１００Ａを用いた胎動検知システム２００Ａの構成を模式的に示す図である。図５に示される通り、胎動検知装置１００Ａの特徴点は、図１の２層のシート体１に代わって、シート体１Ａが、腹部５に沿って湾曲自在な平面状に延在した可撓性を有するシート層としての、一つの合成樹脂層より成る点にある。例えば、シート体１Ａは、シリコーン樹脂より成る。そして、シート体１と同様に、シート体１Ａは複数のセンサーＳｉをその内部に保有している。即ち、各センサーＳｉの本体部ＳＰの全体及び出力線ＯＬｉの出力端ＳＴ側の部分ＯＬｉＣの全体は、共に、上記一つの合成樹脂層によって被覆されている。斯かる構造により、図５に示される断線ＩＡ−ＩＢ及びＩＩＡ−ＩＩＢに関して模式的に示される縦端面図は、それぞれ、図６（ａ）及び図６（ｂ）となる。その内、図６（ａ）は、センサーＳｉが「圧力センサー」である場合に於ける、センサーＳｉの被覆状態を示す縦端面図である。他方、図６（ｂ）は、センサーＳｉが「加速度センサー」又は「ドップラーセンサー」である場合の、センサーＳｉの被覆状態を示す縦端面図である。その他の胎動検知装置１００Ａの構成要素は、図１の胎動検知装置１００の対応する構成要素と同一である。しかも、図５に示される胎動検知システム２００Ａもまた、図１の胎動検知システム２００と同様の構成を備えている。従って、胎動検知装置１００Ａ及び胎動検知システム２００Ａは、実施の形態１で既述した動作・利点と同一の動作・利点を奏するのであり、この点に関しては、実施の形態１の対応する記載を援用する。
【００２９】
（変形例）
（１）  図１及び図５に例示される通り、コントローラ６は、Ｂｌｕｅｔｏｏｔｈ（登録商標）を用いた通信により、各センサーＳｉより得られた胎児の胎動に関するデータを直接にスマートフォン８に出力し、スマートフォン８は受信した上記データを表示し、及び／又は、記憶することとしても良い。
【００３０】
（２）  実施の形態１，２に於いては、シート体１，１Ａは胎児の胎動を検知する複数のセンサーＳｉのみをその内部に有していたが、更に、シート体１，１Ａは、シート体１によって全体的に被覆された少なくとも一つのマイクロフォン（マイク）（図示せず。）を、その内部に保有していても良い。この場合には、クラウドサーバー７は、上記マイクロフォンの出力信号として得られる胎児の心音のデータより、図４（ｂ）に例示される様な心音の強さの時間的変化を示す波形データを、胎児の心音情報として、生成・保有しても良い。又は、クラウドサーバー７は、上記マイクロフォンの出力信号を音データとして記憶・保有しても良い。その結果、妊婦等は、インターネットＮ経由で、端末機器１１内に図４（ｂ）に例示される心音の波形データを取得して心音の時間的変動を視認することが出来、又は、端末機器１１内に胎児の心音の録音データを取得して心音を聞くことも出来る。
【００３１】
（３）  図１及び図５に於いて破線１Ｅで示される様に、シート体１，１Ａを母体４の腰部分に沿って一周延在させることで、シート体１，１Ａを腹巻状の形状に構成しても良い。この様な腹巻状の形態を成すシート体１，１Ａをも、本発明に於いては、「妊婦の母体の腹部に当接される裏面を有し、湾曲自在な平面状に延在したシート体」と定義する。勿論、腹巻状の形態を成すシート体１，１Ａは、既述の同種又は異種の複数のセンサーＳｉ等を、母体４の腹部５側部分の内部に、保有する。この場合に於いても、実施の形態１に於いて既述した胎動検知システムの動作・利点が同様に得られることは言うまでもない。この点につき、本変形例もまた対応する実施の形態１に於ける記載を援用する。
【００３２】
（４）  図７は、実施の形態１又は２に係る胎動検知装置１００，１００Ａの変形例に係る胎動検知装置１００Ｂの構成を模式的に示す正面図である。図７に於いても、図１及び図２と同様に、便宜上、各センサーＳｉ及び各出力線ＯＬｉＣ（ＯＬｉ）はそれぞれ点線及び破線で示されている。図７に於いて、胎動検知装置１００Ｂが胎動検知装置１００，１００Ａと相違する特徴点は、図１及び図２に於けるコントローラ６が出力線部ＯＬを介してシート体１の出力端１Ｔに電気的に接続されていた点に代わって、コントローラ６の入力端（図示せず。）が直接にシート体１（１Ａ）の出力端１Ｔに電気的に接続されている点にある。その意味に於いて、コントローラ６は、複数のセンサーＳｉの各々の出力線ＯＬｉに電気的に接続されている。胎動検知装置１００Ｂのその他の構成及び同装置１００Ｂを用いた胎動検知システムの構成並びに同システムの動作・利点は、実施の形態１で既述した胎動検知装置及び胎動検知システムの構成及び動作・利点と同様である。従って、実施の形態１に於ける、それらの記載を本変形例に於いても援用する。
【００３３】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００３４】
本発明は、例えば、妊婦が子宮内の胎児の日常の状態に関する種々の情報を家庭内で気軽に知るための検知装置及び検知システムに適用して好適である。
【符号の説明】
【００３５】
２００，２００Ａ  胎動検知システム
１００，１００Ａ，１００Ｂ  胎動検知装置
Ｎ  インターネット
Ｓｉ，Ｓ１，Ｓ２，Ｓ３，Ｓ４，Ｓ５  センサー
ＯＬｉ  出力線
ＯＬｉＣ  出力線の内の出力端側の部分（シート体により被覆された部分）
ＯＬ  出力線部
１  シート体
２  第１シート層
３  第２シート層
１Ａ  シート層（一つの合成樹脂層）
４  母体
５  腹部
６，６Ａ  コントローラ（制御機器）
７  クラウドサーバー
１１  端末機器
【図１】
2020089400.tif 000003
【図２】
2020089400.tif 000004
【図３】
2020089400.tif 000005
【図４】
2020089400.tif 000006
【図５】
2020089400.tif 000007
【図６】
2020089400.tif 000008
【図７】
2020089400.tif 000009
【手続補正書】
【提出日】平成31年3月29日(2019.3.29)
【手続補正１】
【補正対象書類名】明細書
【補正対象項目名】０００６
【補正方法】変更
【補正の内容】
【０００６】
本発明の主題に係る胎動検知装置は、妊婦の母体の腹部に当接される裏面を有し、湾曲自在な平面状に延在したシート体と、前記シート体の表面に配設された出力端と、前記母体の子宮内の胎児の胎動を検知する本体部、及び、前記本体部の出力端に接続され且つ前記シート体の前記表面の前記出力端に集束される様に配線された出力線を有する、複数のセンサーと、前記シート体の前記表面の前記出力端に電気的に接続されている入力端を有し且つ外部装置に信号を出力するコントローラとを備えており、前記複数のセンサーの各々の前記本体部の全体及び前記出力線の全体が共に前記シート体によって被覆されている一方、前記コントローラは前記シート体によって被覆されていないことを特徴とする。
【手続補正２】
【補正対象書類名】明細書
【補正対象項目名】００３２
【補正方法】変更
【補正の内容】
【００３２】
（４）  図７は、実施の形態１又は２に係る胎動検知装置１００，１００Ａの変形例に係る胎動検知装置１００Ｂの構成を模式的に示す正面図である。図７に於いても、図１及び図２と同様に、便宜上、各センサーＳｉ及び各出力線ＯＬｉＣ（ＯＬｉ）はそれぞれ点線及び破線で示されている。図７に於いて、胎動検知装置１００Ｂが胎動検知装置１００，１００Ａと相違する特徴点は、図１及び図５に於けるコントローラ６が出力線部ＯＬを介してシート体１の出力端１Ｔに電気的に接続されていた点に代わって、コントローラ６Ａの入力端（図示せず。）が直接にシート体１（１Ａ）の出力端１Ｔに電気的に接続されている点にある。その意味に於いて、コントローラ６Ａは、複数のセンサーＳｉの各々の出力線ＯＬｉに電気的に接続されている。胎動検知装置１００Ｂのその他の構成及び同装置１００Ｂを用いた胎動検知システムの構成並びに同システムの動作・利点は、実施の形態１で既述した胎動検知装置及び胎動検知システムの構成及び動作・利点と同様である。従って、実施の形態１に於ける、それらの記載を本変形例に於いても援用する。
【手続補正３】
【補正対象書類名】特許請求の範囲
【補正対象項目名】全文
【補正方法】変更
【補正の内容】
【特許請求の範囲】
【請求項１】
妊婦の母体の腹部に当接される裏面を有し、湾曲自在な平面状に延在したシート体と、
前記シート体の表面に配設された出力端と、
前記母体の子宮内の胎児の胎動を検知する本体部、及び、前記本体部の出力端に接続され且つ前記シート体の前記表面の前記出力端に集束される様に配線された出力線を有する、複数のセンサーと、
前記シート体の前記表面の前記出力端に電気的に接続されている入力端を有し且つ外部装置に信号を出力するコントローラと
を備えており、
前記複数のセンサーの各々の前記本体部の全体及び前記出力線の全体が共に前記シート体によって被覆されている一方、
前記コントローラは前記シート体によって被覆されていない
ことを特徴とする、胎動検知装置。
【請求項２】
妊婦の母体の腹部に当接される裏面を有し、湾曲自在な平面状に延在したシート体と、
前記シート体の表面に配設された出力端と、
前記母体の子宮内の胎児の胎動を検知する本体部、及び、前記本体部の出力端に接続され且つ前記シート体の前記表面の前記出力端に集束される様に配線された出力線を有する、複数のセンサーと、
前記シート体の前記表面の前記出力端に直接に接続されている入力端を有すると共に前記シート体の前記表面に前記シート体と一体的に配設されており、且つ、外部装置に信号を出力するコントローラと
を備えており、
前記複数のセンサーの各々の前記本体部の全体及び前記出力線の全体が共に前記シート体によって被覆されている一方、
前記コントローラは前記シート体によって被覆されていない
ことを特徴とする、胎動検知装置。
【請求項３】
請求項１又は２に記載の胎動検知装置であって、
前記複数のセンサーは、少なくとも、第１センサーと、前記第１センサーとは異なるセンサー機能を呈する第２センサーとを有する
ことを特徴とする、胎動検知装置。
【請求項４】
請求項１乃至３の何れか１項に記載の前記胎動検知装置と、
前記コントローラより出力される信号を前記インターネット経由で受信した上で、前記コントローラの前記出力信号に基づいて前記胎児の前記胎動に関するデータを算出・保有し、前記インターネット経由でアクセスしてくる端末機器に前記胎動に関するデータを前記インターネット経由で送信するクラウドサーバーと
を備えることを特徴とする、胎動検知システム。